【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
撮像開始指示後に、自動合焦処理、撮像処理の順で処理を実行する第１及び第２のセルフタイマーモードで撮像制御を実行する撮像制御部を有し、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置。
【請求項２】
撮像開始を前記撮像制御部に指示する操作部をさらに備え、
前記操作部は、ユーザにより撮像開始が指示される際に、ユーザが前記操作部を操作する手または腕により、筐体に配置されたレンズに入射する光が遮られる位置に設けられる、請求項１に記載の撮像装置。
【請求項３】
前記操作部は、タッチパネルを備えた画像表示部である、請求項２に記載の撮像装置。
【請求項４】
前記画像表示部は、表示面が、前記筐体における前記レンズが設けられた方向である前面側に現れる第１の状態と、前記前面側の反対方向である背面側に現れる第２の状態とに切り換え可能である、請求項３に記載の撮像装置。
【請求項５】
前記撮像制御部は、セルフタイマーモードの際に、前記画像表示部が前記第１の状態であるか前記第２の状態であるかに応じて、前記第１のセルフタイマーモードまたは前記第２のセルフタイマーモードのいずれかで撮像制御を実行する、請求項４に記載の撮像装置。
【請求項６】
前記撮像制御部は、セルフタイマーモードの際に、撮像開始指示時における自装置の固定状態に応じて、前記第１のセルフタイマーモードまたは前記第２のセルフタイマーモードのいずれかで撮像制御を実行する、請求項１〜５のいずれかに記載の撮像装置。
【請求項７】
前記撮像制御部は、セルフタイマーモードの際に、撮像開始指示時に自装置がユーザに把持されているか否かに応じて、前記第１のセルフタイマーモードまたは前記第２のセルフタイマーモードのいずれかで撮像制御を実行する、請求項１〜６のいずれかに記載の撮像装置。
【請求項８】
前記第２のセルフタイマーモードは、自分撮りモードであり、前記第１のセルフタイマーモードは、前記自分撮りモード以外の撮像モードである、請求項１〜７のいずれかに記載の撮像装置。
【請求項９】
前記撮像制御部は、前記第１のセルフタイマーモードの際に、自動合焦処理のあと、前記第１の期間より長い期間の経過後に撮像処理を実行する、請求項１〜８のいずれかに記載の撮像装置。
【請求項１０】
前記撮像制御部は、前記第２のセルフタイマーモードの際に、自動合焦処理のあと、前記第２の期間より短い期間の経過後に撮像処理を実行する、請求項１〜８のいずれかに記載の撮像装置。
【請求項１１】
前記第２の期間は、設定されたタイマー時間に基づく時間である、請求項１〜１０のいずれかに記載の撮像装置。
【請求項１２】
撮像開始指示後に、自動合焦処理、撮像処理の順で処理を実行する第１及び第２のセルフタイマーモードで撮像制御を実行する撮像制御ステップを有し、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置の制御方法。
【請求項１３】
画像表示部の表示面が、筐体におけるレンズが設けられた方向である前面側に現れる第１の状態と、前記前面側の反対方向である背面側に現れる第２の状態とに切り換え可能である、請求項１２に記載の撮像装置の制御方法。
【請求項１４】
前記撮像制御ステップは、セルフタイマーモードの際に、前記画像表示部が前記第１の状態であるか前記第２の状態であるかに応じて、前記第１のセルフタイマーモードまたは前記第２のセルフタイマーモードのいずれかで撮像制御を実行する、請求項１３に記載の撮像装置の制御方法。
【請求項１５】
前記撮像制御ステップは、セルフタイマーモードの際に、撮像開始指示時における自装置の固定状態に応じて、前記第１のセルフタイマーモードまたは前記第２のセルフタイマーモードのいずれかで撮像制御を実行する、請求項１２〜１４のいずれかに記載の撮像装置の制御方法。
【請求項１６】
前記撮像制御ステップは、セルフタイマーモードの際に、撮像開始指示時に自装置がユーザに把持されているか否かに応じて、前記第１のセルフタイマーモードまたは前記第２のセルフタイマーモードのいずれかで撮像制御を実行する、請求項１２〜１５のいずれかに記載の撮像装置の制御方法。
【請求項１７】
前記第２のセルフタイマーモードは、自分撮りモードであり、前記第１のセルフタイマーモードは、前記自分撮りモード以外の撮像モードである、請求項１２〜１６のいずれかに記載の撮像装置の制御方法。
【請求項１８】
前記撮像制御ステップは、前記第１のセルフタイマーモードの際に、自動合焦処理のあと、前記第１の期間より長い期間の経過後に撮像処理を実行する、請求項１２〜１７のいずれかに記載の撮像装置の制御方法。
【請求項１９】
前記撮像制御ステップは、前記第２のセルフタイマーモードの際に、自動合焦処理のあと、前記第２の期間より短い期間の経過後に撮像処理を実行する、請求項１２〜１７のいずれかに記載の撮像装置の制御方法。
【請求項２０】
前記第２の期間は、設定されたタイマー時間に基づく時間である、請求項１２〜１９のいずれかに記載の撮像装置の制御方法。
【請求項２１】
撮像開始指示後に、自動合焦処理、撮像処理の順で処理を実行する第１及び第２のセルフタイマーモードで撮像制御を実行する撮像制御ステップをコンピュータに実行させ、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、コンピュータプログラム。
【手続補正２】
【補正対象書類名】明細書
【補正対象項目名】００１１
【補正方法】変更
【補正の内容】
【００１１】
【図１】本開示の一実施形態にかかる撮像装置１００の外観を正面図で示す説明図である。
【図２】本開示の一実施形態にかかる撮像装置１００の外観を側面図で示す説明図である。
【図３】撮像者が表示部１０８へ指を接触させた様子を示す説明図である。
【図４】本開示の一実施形態にかかる撮像装置１００の機能構成例を示す説明図である。
【図５】本開示の一実施形態にかかる撮像装置１００の動作例を示す説明図である。
【図６】撮像装置１００が有するセルフタイマーモードについて示す説明図である。
【図７】撮像装置１００が有するセルフタイマーモードについて示す説明図である。
【手続補正３】
【補正対象書類名】明細書
【補正対象項目名】００３８
【補正方法】変更
【補正の内容】
【００３８】
［撮像装置の動作例］
図５は、本開示の一実施形態にかかる撮像装置１００の動作例を示す流れ図である。図５に示した動作例は、撮像装置１００でセルフタイマー撮像を実行する際の、本開示の一実施形態にかかる撮像装置１００の動作例を示したものである。以下、図５を用いて本開示の一実施形態にかかる撮像装置１００の動作例について説明する。
【手続補正４】
【補正対象書類名】明細書
【補正対象項目名】００５９
【補正方法】変更
【補正の内容】
【００５９】
なお撮像装置１００は、三脚等に固定されているかどうかの判断を、状態検知部１０９が検知した撮像装置１００の状態に基づいて判断しても良い。例えば、ジャイロセンサや加速度センサ等によって、撮像装置１００が所定の時間中揺れ動いていないことが検知されると、撮像装置１００は、三脚等に固定された状態であると判断し、通常撮像モードでのセルフタイマーモードを選択してもよい。逆に、ジャイロセンサや加速度センサ等によって、撮像装置１００が揺れ動いていることが検知されると、撮像装置１００は、手持ちの状態であると判断し、自分撮りモードでのセルフタイマーモードを選択してもよい。また撮像装置１００に発光ダイオード等の発光部およびフォトデテクタ等の光検出器を設け、三脚のカメラ台により反射された発光ダイオードからの光を光検出器で検出することにより、撮像装置１００は、三脚との固定状態を検出するようにしても良い。